(57)【特許請求の範囲】
【請求項１】
通電によりプランジャを吸引したときそのプランジャの基端を受け入れるプランジャ受けを備えるソレノイドにおいて、
一端側に前記プランジャを吸引したときその基端が突き当たる受け部を設ける一方、他端側に前記プランジャを突出したとき前記プランジャ受けの一部に掛け止める掛止め部を設ける樹脂製のストッパ部材を、前記プランジャ受け内に配置するとともに、そのプランジャ受けと前記ストッパ部材との間に、前記プランジャを吸引したときの衝撃を緩衝する弾性体を配置し、
杆状をなす前記プランジャの基端に前記ストッパ部材の前記受け部に突き当たるすり鉢状の突当て部を設け、
筒状をなす前記プランジャ受けの内周のほぼ中間に前記ストッパ部材の前記掛止め部が掛け止められる円周凸部を設け円周凸部の他端側に前記プランジャの前記突当て部の形状に合わせて順次幅広に開口した他端開口を設けてなる、ソレノイド。
【請求項２】
前記ストッパ部材の前記掛止め部の先端をテーパ状に形成し長手方向に掛止め部を撓み可能にする割溝を設けてなる、請求項１に記載のソレノイド。
【請求項３】
前記弾性体をリング状に形成し、該弾性体を、それに前記テーパ状先端を通して前記ストッパ部材の外周に嵌め付けてなる、請求項２に記載のソレノイド。
【発明の詳細な説明】
【０００１】
【発明の属する技術分野】
この発明は、たとえば電磁弁などに備えるソレノイドであって、特に消音機能を備えたソレノイドの改良に関する。
【０００２】
【従来の技術】
従来、この種のソレノイドの中には、たとえば図８に示すように、通電時、符号１で示すプランジャを矢示方向に吸引したときその基端１ａを受け入れる筒状のプランジャ受け２を備え、そのプランジャ受け内に、プランジャ１の基端１ａが突き当たったときその衝撃を緩衝するゴム材３を設ける構成としたものがある。
【０００３】
そのようなソレノイドでは、プランジャ受け２の内周に円周突部２ａを設け、一方、ゴム材３は、たとえば適宜ゴム成形により、たとえば図９に示すようにプランジャ受け２ごと成形して円周突部２ａに嵌め合うように配設していた。
【０００４】
そして、作動時、プランジャ１を、図８に示すように吸引したときは、その基端１ａをゴム材３で受けて衝撃を緩衝して騒音の発生を防止する。一方、プランジャ１を逆向きに突出するときは、先の吸引時にプランジャ１の基端面がゴム材３に例え強く密着していたとしても、円周突部２ａで引き止めてゴム材３がプランジャ１と一緒にプランジャ受け２内から引き抜かれることを防止していた。
【０００５】
【発明が解決しようとする課題】
ところが、従来では、上述のように消音用のゴム材３を、ゴム成形によりプランジャ１に設ける構成とするため、その成形時、ゴム材料が型から漏れ出ることがあり、成形後いちいち漏れ出たゴム材料を取り除く必要があり、面倒であった。
【０００６】
また、そのときに取り残したゴム成形バリがプランジャ１とその外周のコイルボビンとの間に入り込み、それが原因でプランジャ１の動作不良を招くという課題があった。
【０００７】
【課題を解決するための手段】
そこで、請求項１に記載の発明は、たとえば以下の図面を用いて説明する実施の形態のとおり、通電によりプランジャ１２を吸引したときそのプランジャ１２の基端を受け入れるプランジャ受け１３を備えるソレノイドＳにおいて、一端側に前記プランジャ１２を吸引したときその基端が突き当たる受け部２０ａを設ける一方、他端側に前記プランジャ１２を突出したとき前記プランジャ受け１３の一部、たとえば円周凸部１３ｂに掛け止める掛止め部２０ｂを設ける樹脂製のストッパ部材２０を、前記プランジャ受け１３内に配置するとともに、そのプランジャ受け１３と前記ストッパ部材２０との間に、前記プランジャ１２を吸引したときの衝撃を緩衝する弾性体２５を配置し、杆状をなす前記プランジャ１２の基端に前記ストッパ部材２０の前記受け部２０ａに突き当たるすり鉢状の突当て部１２ｂを設け、筒状をなす前記プランジャ受け１３の内周のほぼ中間に前記ストッパ部材２０の前記掛止め部２０ｂが掛け止められる円周凸部１３ｂを設け円周凸部１３ｂの他端側に前記プランジャ１２の前記突当て部１２ｂの形状に合わせて順次幅広に開口した他端開口１３ｃを設けてなる、ことを特徴とする。
【０００８】
そして、作動時、プランジャ１２を吸引したときは、その基端をストッパ部材２０の受け部２０ａに突き当て、その衝撃を弾性体２５で緩衝する。一方、プランジャ１２を突出したときは、ストッパ部材２０の掛止め部２０ｂをプランジャ受け１３の一部に掛け止める。
【０００９】
請求項２に記載の発明は、請求項１に記載のソレノイドＳにおいて、たとえば以下の図面を用いて説明する実施の形態のとおり、前記ストッパ部材２０の前記掛止め部２０ｂの先端をテーパ状に形成し長手方向に掛止め部２０ｂを撓み可能にする割溝２０ｃを設けてなる、ことを特徴とする。
【００１０】
請求項３に記載の発明は、請求項２に記載のソレノイドＳにおいて、たとえば以下の図面を用いて説明する実施の形態のとおり、前記弾性体２５をリング状に形成し、該弾性体２５を、それに前記テーパ状先端を通して前記ストッパ部材２０の外周に嵌め付けてなる、ことを特徴とする。
【００１１】
そして、プランジャ受け１３を組み付けるときは、弾性体２５を、それにテーパ状の先端を通してストッパ部材２０の外周に嵌め付け、同ストッパ部材２０を、そのテーパ状先端からプランジャ受け１３内に挿入し、その円周凸部１３ｂに掛止め部２０ｂを掛け止める。
【００１２】
【発明の実施の形態】
以下、図面を参照しつつ、この発明の実施の形態について説明する。
【００１３】
図５および図６に、この発明によるソレノイドを備える電磁弁の一例を示す。
【００１４】
図示電磁弁は、たとえばガス器具に備え、図中符号１０で示すヨークで支持するコイル１１内に、プランジャ１２と、その基端を受けて保持するプランジャ受け１３を組み込んで構成するソレノイドＳを備える。
【００１５】
ソレノイドＳには、プランジャ１２の先端に弁ゴム１４とスプリング受け１５を取り付け、そのスプリング受けとヨーク１０間でコイルスプリング１６を巻き付けて設ける。そして、プランジャ１２を、弁ゴム１４とともに図中上向きの突出方向に常時付勢する一方、その付勢力でプランジャ１２が抜け出ないようにコイル１１のボビン１１ａの先端に、抜け止め凸部１１ｂを設けてなる。なお、図中符号１７は、電気接続用端子である。
【００１６】
そして、図示電磁弁では、周知のとおり、通電時、コイル１１に流れる電流によりプランジャ１２をコイルスプリング１６に抗して吸引し、これに連動する弁ゴム１４を動作し、たとえば図示しないガス等の流体の流路を開く。一方、通電をオフにすると、コイルスプリング１６によりプランジャ１２を突出して弁ゴム１４で前記流路を遮断する。
【００１７】
ところで、上述したプランジャ１２は、たとえば図４に示すように、全体に杆状をなし、図中左の先端に円板部１２ａを設け、基端にすり鉢状の突当て部１２ｂを設け、中間部外周に段部１２ｃを形成し、さらに円板部１２ａ近くを細径に形成してそこに弁ゴム取付部１２ｄを設けてなる。
【００１８】
一方、プランジャ受け１３は、筒状をなし、図３に示すように、図中右の一端を細径に形成し、そこに前記ヨーク１０に取り付ける取付筒部１３ａを設ける。また、他端内周のほぼ中間に円周凸部１３ｂを設け、その図中左の他端側を、プランジャ１２の突当て部１２ｂの形状に合わせて漸次幅広に開口した他端開口１３ｃを設けてなる。
【００１９】
そして、このプランジャ受け１３内に、消音手段として、ストッパ部材２０および弾性体２５を配置してなる。
【００２０】
ストッパ部材２０は、樹脂製で、たとえば図２でも示すように、図中左の一端側に円板状の受け部２０ａを設け、他端側に、右端をテーパ状に形成した掛止め部２０ｂを設ける。そして、ストッパ部材２０は、その掛止め部２０ｂからなる長手方向に割溝２０ｃを設けて掛止め部２０ｂを撓み可能に形成してなる。
【００２１】
弾性体２５は、この例では、ゴム製で、図３に示すようにリング状に形成する。そして、この弾性体２５を、それに掛止め部２０ｂを通してストッパ部材２０の外周に嵌め付けてなる。しかして、プランジャ受け１３内にその他端開口１３ｃから、弾性体２５を嵌め付けたストッパ部材２０を挿入して掛止め部２０ｂを円周凸部１３ｂに掛け止めてなる。
【００２２】
そうして、このプランジャ受け１３を取り付けるときは、たとえば図７に示すように、その他端開口１３ｃにプランジャ１２の突当て部１２ｂを受け入れた状態で、反対側の前記円板部１２ａを、図示しないが、適宜他部材に突き当てる一方、取付筒部１３ａをカシメ具２６でカシメてヨーク１０に固定する。
【００２３】
そして、図示電磁弁では、その作動時、図１に示すように、ソレノイドＳのプランジャ１２を吸引したときは、その突当て部１２ｂがストッパ部材２０の受け部２０ａに突き当たる。このとき、その突き当ての衝撃を、ストッパ部材２０を介して弾性体２５により吸収し、騒音の発生を防止する。
【００２４】
一方、プランジャ１２を逆方向に突出するときは、先の吸引時にプランジャ１２の突当て部１２ｂの端面が受け部２０ａに例え強く密着していたとしても、ストッパ部材２０の掛止め部２０ｂがプランジャ受け１３の円周凸部１３ｂに引っ掛かり、円周凸部１３ｂで引き止めてスットパ部材２０と弾性体２５がプランジャ１２と一緒にプランジャ受け１２内から引き抜かれることを防止する。
【００２５】
ところで、上述した弾性体２５は、ゴム製であったが、弾性を有するものであれば、たとえばスプリング等を用いることもできる。
【００２６】
【発明の効果】
したがって、請求項１に記載の発明によれば、消音手段をそれぞれ予め製造した弾性体とストッパ部材とで構成し、従来のようにゴム材料を用いて成形によりプランジャに設ける構成ではないため、そのゴム材料が型から漏れ出るような問題を発生する余地がなく、その結果、その漏れ出たゴム材料をいちいち取り除く面倒な作業をなくすことができる。また、従来のように取り残したゴムの成形バリがプランジャとその外周のコイルボビンの間に入り込んでプランジャの動作不良を招くことを防止することもできる。
【００２７】
請求項２に記載の発明によれば、ストッパ部材の前記掛止め部の先端をテーパ状に形成し前記掛止め部を撓み可能にする割溝を設けるため、ストッパ部材をプランジャ受け内に取り付けるとき、その内周の円周凸部間を通してそれに簡単に掛止め部を掛け止めることができる。
【００２８】
請求項３に記載の発明によれば、弾性体をリング状に形成するため、該弾性体を、前記掛止め部のテーパ状先端を通して嵌め付けることにより、簡単にストッパ部材に取り付けることができる。
【図面の簡単な説明】
【図１】  この発明によるソレノイドのプランジャ吸引時における衝撃緩衝状態を示す部分縦断面図である。
【図２】  そのソレノイドに備えるストッパ部材を示す側面図である。
【図３】  そのストッパ部材と弾性体を組み込んだプランジャ受けを示す縦断面図である。
【図４】  そのソレノイドに備えるプランジャを示す側面図である。
【図５】  そのソレノイドを備える電磁弁を示す側面図である。
【図６】  その電磁弁の右半分を断面で示す部分縦断面図である。
【図７】  その電磁弁の組み立て時にプランジャ受けをカシメる状態を示す部分縦断面図である。
【図８】  従来のソレノイドのプランジャ吸引時における衝撃緩衝状態を示す部分縦断面図である。
【図９】  そのソレノイドに備えるプランジャ受けを示す縦断面図である。
【符号の説明】
１２    プランジャ
１３    プランジャ受け
１３ｂ  円周凸部
１３ｃ  他端開口
２０    ストッパ部材
２０ａ  受け部
２０ｂ  掛止め部
２０ｃ  割溝
２５    弾性体
【図１】
0004010065.tif 000002
【図２】
0004010065.tif 000003
【図３】
0004010065.tif 000004
【図４】
0004010065.tif 000005
【図５】
0004010065.tif 000006
【図６】
0004010065.tif 000007
【図７】
0004010065.tif 000008
【図８】
0004010065.tif 000009
【図９】
0004010065.tif 000010